(57)【特許請求の範囲】
【請求項１】
内部に券媒体を収容するホッパと、
前記ホッパから供給された前記券媒体に処理を施すことにより券を形成する処理部と、
前記ホッパ、及び、前記処理部を内部に収容し、前記ホッパと対向する部分に、前記ホッパへの前記券媒体の装填作業を可能とする筐体用開口が形成された筐体と、
を具備し、
前記ホッパは、前記筐体用開口側の部分に、内部に前記券媒体を通す大きさを有するホッパ用開口が形成されたホッパ本体、及び、前記ホッパ用開口を閉塞する位置から下方に回動することにより前記ホッパ用開口を開くよう上下方向に回動可能に前記ホッパ本体に連結され、開いた状態において前記筐体用開口を通して前記筐体の外側に出る長さを有するホッパ用扉部材を具備し、
前記筐体用開口の縁は、開いた状態の前記ホッパ用扉部材において上方に向く面が水平面となるよう前記ホッパ用扉部材の外面に当接する当接部を具備する、
ことを特徴とする発券機。
【請求項２】
前記ホッパ用扉部材は、開いた状態において上方に向く面の側縁に設けられたリブを具備する
ことを特徴とする請求項１に記載の発券機。
【請求項３】
前記筐体は、前記ホッパ用扉部材の回動軸の軸方向に沿って一端側に、前記ホッパ及び前記処理部を前記筐体に対して搬入、及び、搬出する搬入搬出部を具備する
ことを特徴とする請求項１に記載の発券機。
【請求項４】
前記筐体は、直方体状に形成され、その一つの側壁部の一部に、前記筐体用開口が形成されている
ことを特徴とする請求項１に記載の発券機。
【発明の詳細な説明】
【技術分野】
【０００１】
本発明の実施形態は、発券機に関する。
【背景技術】
【０００２】
鉄道等の駅の駅員室には、改札機が処理する乗車券を発券する発券機が設置されている。発券機は、ＩＣカード等の券媒体を内部に有しており、この券媒体に対して必要な情報を書き込む等の処理を施すことにより、券媒体から乗車券を形成する。
【０００３】
発券機は、具体的には、乗車券を排出する排出口が形成された筐体、及び、筐体内に収容され、券媒体から乗車券を形成して乗車券を筐体の排出口まで搬送する搬送部を有している。搬送部は、券媒体を内部に収容するホッパ、及び、ホッパ内の券媒体に対する乗車券情報の書き込みや、券媒体の表面への文字等の印刷等の処理を施す処理部を有している。ホッパには、適宜、駅員などの作業者により、券媒体が装填される。
【０００４】
搬送部は、定期的にメンテナンスが施される必要がある。この為、発券機は、筐体に対して搬送部全体を搬入及び搬出可能に構成されている。筐体は、例えばその前部に搬送部を搬入及び搬出可能な開口が形成されているとともに、この開口を開閉する扉部材が設けられている。
【０００５】
搬送部のメンテナンスを行う際には、筐体の扉部材が開かれ、搬送部は筐体の開口を通して筐体の外部にその全体が搬出される。搬送部のメンテナンスが終了すると、搬送部は筐体の開口を通して筐体内に収容され、扉が閉じられる。
【０００６】
また、搬送部は、ホッパ内へ券媒体を装填する際にも、ホッパ内への券媒体の装填作業が可能となる位置まで、すなわち、作業者がホッパへアクセスできる位置まで、筐体の開口を通して筐体から搬出される。
【０００７】
一方、券媒体としてＩＣカード等の湾曲することが好ましくない券媒体が用いられる場合、搬送部内で券媒体が搬送される搬送経路を直線状に形成する必要があり、ホッパと排出口との間に処理部を配置する必要がある。この為、ホッパは、搬送部の後部、すなわち、排出口から離れた部分に配置されることとなる。
【０００８】
ホッパが搬送部の後部に配置される場合では、ホッパ内への券媒体の装填作業を行う為には、搬送部全体を筐体から搬出する必要がある。
【先行技術文献】
【特許文献】
【０００９】
【特許文献１】特開２０００−６２９８２号公報
【発明の概要】
【発明が解決しようとする課題】
【００１０】
本発明が解決しようとする課題は、ホッパへの券媒体の装填作業の効率を向上できる発券機を提供することである。
【課題を解決するための手段】
【００１１】
実施形態によれば、発券機は、ホッパと、処理部と、筐体とを備える。前記ホッパは、内部に券媒体を収容する。前記処理部は、前記ホッパから供給された前記券媒体に処理を施すことにより券を形成する。前記筐体は、前記ホッパ、及び、前記処理部を内部に収容し、前記ホッパと対向する部分に、前記ホッパへの前記券媒体の装填作業を可能とする筐体用開口が形成されている。前記ホッパは、前記筐体用開口側の部分に、内部に前記券媒体を通す大きさを有するホッパ用開口が形成されたホッパ本体、及び、前記ホッパ用開口を閉塞する位置から下方に回動することにより前記ホッパ用開口を開くよう上下方向に回動可能に前記ホッパ本体に連結され、開いた状態において前記筐体用開口を通して前記筐体の外側に出る長さを有するホッパ用扉部材を備える。前記筐体用開口の縁は、開いた状態の前記ホッパ用扉部材において上方に向く面が水平面となるよう前記ホッパ用扉部材の外面に当接する当接部を備える。
【図面の簡単な説明】
【００１２】
【図１】一実施形態に係る発券機を示す斜視図。
【図２】同発券機の構成を示す概略図。
【図３】同発券機の筐体から同発券機の搬送部が搬出された状態を示す斜視図。
【図４】同発券機の要部を示す斜視図。
【図５】同発券機の要部を示す斜視図。
【図６】同発券機の要部を示す側面図。
【図７】同発券機の要部を概略的に示す断面図。
【発明を実施するための形態】
【００１３】
一実施形態に係る発券機１０を、図１から図７を用いて説明する。図１は、発券機１０を示す斜視図である。図２は、発券機１０の構成を示す概略図である。図３は、発券機１０の筐体２０から、搬送部３０が搬出された状態を示す斜視図である。図４は、発券機１０の要部を示す斜視図である。図５は、発券機１０の要部を示す斜視図である。図６は、発券機１０の要部を示す側面図である。図７は、発券機１０の要部を概略的に示す断面図である。
【００１４】
本実施形態では、発券機１０は、ＩＣカード等のカード状の券媒体１に処理を施すことにより、券の一例として、鉄道の乗降の際に改札機で処理される乗車券５を発券可能に構成されている。
【００１５】
図１，２に示すように、発券機１０は、乗車券５を排出可能な排出口２１が形成された筐体２０、及び、筐体２０内に収容され、券媒体１から乗車券５を形成し、形成された乗車券５を排出口２１まで搬送可能に構成された搬送部３０を有している。
【００１６】
筐体２０は、搬送部３０を筐体２０に対して搬入及び搬出可能な第１の筐体用開口（搬入搬出部）２２が形成された筐体本体２３、及び、筐体本体２３の第１の筐体用開口２２を開閉可能に形成された第１の筐体用扉部材（搬入搬出部）２４を有している。筐体本体２３は、例えば、一端が開口する直方体状に形成されている。第１の筐体用開口２２は、この一端の開口である。
【００１７】
筐体本体２３は、その側壁部２８に、当該側壁部２８を貫通する第２の筐体用開口（筐体用開口）２５が形成されている。また、第２の筐体用開口２５が形成された側壁部２８には、第２の筐体用開口２５を開閉可能な第２の筐体用扉部材２６が設けられている。第２の筐体用開口２５、及び、第２の筐体用扉部材２６については、後で具体的に説明する。
【００１８】
ここで、発券機１０の前後方向Ｆ、上下方向Ｖ、及び、幅方向Ｗについて説明する。本実施形態では、一例として、第１の筐体用開口２２が形成される側を前とし、第１の筐体用開口２２に対向する壁部を後壁部として、前後方向Ｆが定められる。上下方向Ｖは、一例として、発券機１０が床面３等に設置された状態における重力方向を下方向として定められる。上下方向Ｖは、前後方向Ｆに対して直交する方向である。幅方向Ｗは、前後方向Ｆと上下方向Ｖとに直交する方向である。筐体本体２３は、例えば、前後方向Ｆに沿う長さが、幅方Ｗに沿う長さよりも長い、直方体状に形成されている。
【００１９】
第１の筐体用扉部材２４は、筐体本体２３の第１の筐体用開口２２の上下方向Ｖに沿う一方の縁部に、上下方向Ｖに平行な回動軸回りに回動可能に連結されている。第１の筐体用扉部材２４は、筐体２０の壁部の一部を構成する。
【００２０】
また、第１の筐体用扉部材２４は、排出口２１を有する。第１の筐体用扉部材２４の前面には、排出口２１から排出された乗車券５を受ける受け皿２７が設けられている。
【００２１】
また、本実施形態では、筐体２０は、内部の所定の位置に搬送部３０を固定、または、位置決め可能に形成されている。筐体２０は、具体的には、搬送部３０に係合することにより、搬送部３０を内部の所定位置に搬送部３０を固定、または、位置決めする係合部を有している。
【００２２】
搬送部３０は、図２に示すように、券媒体１を収容可能に形成されたホッパ４０、及び、ホッパ４０内の券媒体１に処理を施すことにより券媒体１から乗車券５を形成し、形成された乗車券５を筐体２０の排出口２１まで搬送する処理部５０を有している。
【００２３】
ホッパ４０、及び、処理部５０は、１つのユニットとして構成されており、筐体本体２３に対して一体に移動可能に構成されている。搬送部３０は、例えばフレーム３１を有している。ホッパ４０、及び、処理部５０がフレーム３１に保持されることにより、搬送部３０は、１つのユニットとして、筐体２０に対して移動可能に構成されている。また、搬送部３０の下端部には、スムーズな移動を可能とする、ローラ等の移動機構が設けられてもよい。
【００２４】
図３では、搬送部３０は、その全体が概略的に２点鎖線で示されており、ホッパ４０が実線で示されている。図３に示すように、ホッパ４０は、搬送部３０の後部に配置されている。ホッパ４０は、券媒体１が通ることが可能なホッパ用開口４２が形成されたホッパ本体４１、及び、ホッパ本体４１に設けられてホッパ用開口４２を開閉可能なホッパ用扉部材４３を有している。
【００２５】
ホッパ本体４１は、例えば、一端が開口する直方体状に形成されている。この開口が、ホッパ用開口４２となる。ホッパ本体４１は、具体的には、前後方向Ｆに沿う長さに対して上下方向Ｖに沿う長さが長い、直方体状に形成されている。
ホッパ本体４１は、ホッパ用開口４２を幅方向外側に向けることにより筐体本体２３の側壁部２８の内面２９に向けた姿勢で、搬送部３０内に固定されている。この為、ホッパ用開口４２は、その上端縁４２ａ、及び、下端縁４２ｂが前後方向にＦに平行に形成され、両側縁４２ｃが上下方向Ｖに平行に形成されている。
【００２６】
また、ホッパ本体４１は、図４に示すように、搬送部３０が筐体２０内に収容された状態において、本実施形態では、所定位置に固定または位置決めされた状態において、ホッパ用開口４２と筐体本体２３の内面２９との間に、隙間Ｓを有する。
【００２７】
また、ホッパ本体４１には、ホッパ用扉部材４３を閉じた状態にロックするロック装置４８が設けられている。ロック装置４８は、例えば、別部材となる鍵を挿入し操作することにより、解除される。ロック装置４８が解除されると、ホッパ用扉部材４３は、開くことが可能となる。
【００２８】
ホッパ用扉部材４３は、図３に示すように、ホッパ用開口４２を閉塞する位置から下方に回動することによりホッパ用開口４２を開くよう、上下方向Ｖに回動可能にホッパ本体４１に連結されている。
【００２９】
ホッパ用扉部材４３は、具体的には、ホッパ用開口４２の下端縁部４４に、例えばヒンジである連結機構４５により、上下方向Ｖに回動可能に連結されている。連結機構４５の回動軸Ｘは、前後方向Ｆに平行である。なお、前後方向Ｆは、水平方向の一例である。ホッパ用扉部材４３の、回動軸Ｘから先端Ｔまでの長さＬ１については、後で説明する。
【００３０】
図５は、ホッパ用扉部材４３が開いた状態を示している。図５に示すように、開いた状態のホッパ用扉部材４３の上面となる面４６の両側縁には、リブ４７が設けられている。リブ４７は、面４６に対して所定の高さを有している。
【００３１】
なお、面４６は、ホッパ用扉部材４３によるホッパ用開口４２の閉塞状態では、ホッパ本体４１内に面する面となる。ホッパ用扉部材４３の先端部には、ホッパ用扉部材４３の開閉時に作業者が把持する把持部４９が設けられている。
【００３２】
処理部５０は、図２に示すように、ホッパ４０内の券媒体１を、ホッパ４０外へ一枚ずつ繰り出す繰り出し装置５１、繰り出された券媒体１を排出口２１まで搬送する搬送装置５２、搬送装置５２による券媒体１の搬送経路中に設けられたＩＣ処理部５３、搬送経路に沿ってＩＣ処理部５３よりも排出口２１側に設けられた印刷部５４を有している。
【００３３】
繰り出し装置５１は、例えば、ホッパ本体４１の底面に形成された溝を通してその一部がホッパ４０内に位置する繰り出しローラ５１ａ、及び、繰り出しローラ５１ａを回転する駆動機構５１ｂ有している。
【００３４】
繰り出しローラ５１ａは、ホッパ４０内に収容された券媒体１に接触するとともに、回転することにより、接触する券媒体１をホッパ４０外へ一枚ずつ繰り出し可能に形成されている。ホッパ４０の前壁部には、例えば、繰り出し装置５１により繰り出された券媒体１が通る溝が形成されている。駆動機構５１ｂは、例えば、駆動モータ５１ｃ、及び、駆動モータ５１ｃの回転を繰り出しローラ５１ａに伝達するベルト等の伝達機構５１ｄを有している。
【００３５】
搬送装置５２は、ホッパ４０から排出口２１まで、券媒体１、または、乗車券５を湾曲することなく搬送可能に構成されている。これは、本実施形態では券媒体１が一例としてＩＣカードであり、湾曲することが好ましくない為である。
【００３６】
搬送装置５２は、例えば、複数の搬送用ローラ５２ａ、及び、搬送用ローラ５２ａを駆動する駆動機構５２ｂを有しており、ホッパ４０から排出口２１まで、券媒体１または乗車券５が通る直線状の搬送経路を構成している。
【００３７】
駆動機構５２ｂは、駆動モータ５２ｃ、及び、駆動モータ５２ｃの回転を搬送用ローラ５２ａに伝達するベルト等の伝達機構５２ｄを有している。
【００３８】
ＩＣ処理部５３は、券媒体１中に組み込まれたＩＣチップに対して乗車券情報を入力可能に構成されている。印刷部５４は、例えば印刷ヘッドを有しており、券媒体１の表面に文字等を印刷可能に形成されている。
【００３９】
次に、筐体本体２３に形成された第２の筐体用開口２５、及び、筐体本体２３に設けられた第２の筐体用扉部材２６について、説明する。
【００４０】
図１に示すように、第２の筐体用開口２５は、筐体本体２３の前後方向Ｆに沿う側壁部２８の一部に形成されている。第２の筐体用開口２５は、具体的には、図４に示すように、筐体本体２３の側壁部２８において、所定の位置に固定または位置決めされた搬送部３０のホッパ４０のホッパ用開口４２に幅方向Ｗに対向する位置に形成されている。
【００４１】
第２の筐体用開口２５、及び、第２の筐体用扉部材２６は、第２の筐体用扉部材２６の全開時に、第２の筐体用開口２５、及び、ホッパ用開口４２を通して、ホッパ本体４１内への券媒体１の装填作業を可能とする大きさを有している。
【００４２】
図６に示すように、本実施形態では、第２の筐体用開口２５、及び、第２の筐体用扉部材２６は、第２の筐体用扉部材２６の全開時に、第２の筐体用開口２５の縁及び第２の筐体用扉部材２６により規定される開口の内側に、幅方向Ｗに見たときにホッパ用開口４２の全域を配置可能な大きさを有している。すなわち、第２の筐体用開口２５の縁、及び、第２の筐体用扉部材２６により規定された開口は、幅方向Ｗに見たときに、開いた状態のホッパ用扉部材４３をその内側に配置可能な大きさを有している。
【００４３】
第２の筐体用開口２５は、例えば、長方形状に形成されている。第２の筐体用開口２５の縁の四辺のそれぞれは、ホッパ用開口４２の縁の四辺のそれぞれと平行に形成されている。
【００４４】
具体的には、第２の筐体用開口２５の上端縁２５ａは、前後方向Ｆに平行な直線状に形成されており、ホッパ用開口４２の上端縁４２ａに平行である。第２の筐体用開口２５の下端縁２５ｂは、前後方向Ｆに平行な直線状に形成されており、ホッパ用開口４２の下端縁４２ｂに平行である。第２の筐体用開口２５の両側縁２５ｃは、上下方向Ｖに平行な直線状に形成されており、ホッパ用開口４２の両側縁４２ｃと平行である。
【００４５】
図７は、ホッパ４０の近傍を概略的に示す断面図である。図７では、開いた状態のホッパ用扉部材４３が２点鎖線で示されている。また、図７では、ホッパ４０と第２の筐体用開口２５とをわかりやすく示すために、これら以外の構成は、省略されている。図７に示すように、第２の筐体用開口２５の下端縁（当接部）２５ｂは、ホッパ用扉部材４３が開いてホッパ用扉部材４３の外面４３ａが下端縁２５ｂに当接した際に、ホッパ用扉部材４３の面４６が水平面となる位置に配置されている。
【００４６】
ホッパ用扉部材４３は、回動軸Ｘから先端Ｔまでの長さＬ１が、開いた状態において第２の筐体用開口２５を通って筐体２０の外部に出る長さ有しており、かつ、面４６が平面に形成されている。
【００４７】
第２の筐体用扉部材２６は、図６に示すように、例えば、引き戸である。第２の筐体用扉部材２６は、その全開時においても、その一部が第２の筐体用開口２５内に残るように構成されている。第２の筐体用扉部材２６は、筐体本体２３の側壁部２８の内面２９に、ガイドレール等により、前後方向Ｆに移動可能に設けられている。第２の筐体用扉部材２６は、第２の筐体用開口２５を閉塞する閉位置から前方に移動することにより、図４，５，６に示すように、第２の筐体用開口２５を開く。
【００４８】
図４，５，６は、第２の筐体用扉部材２６が全開位置まで開いた状態を示している。第２の筐体用扉部材２６は、全開状態では、開いた状態のホッパ用扉部材４３との間に、ホッパ用扉部材４３のスムーズな開閉を可能とする若干の隙間を有する。
【００４９】
次に、発券機１０の動作を説明する。まず、乗車券５を形成する際の動作について、説明する。発券機１０は、例えば、図示しない制御装置、または、発券機１０に接続された別の装置の指示により、搬送部３０が駆動される。具体的には、駆動機構５１ｂが駆動され、繰り出しローラ５１ａの回転により、ホッパ４０内の１枚の券媒体１がホッパ４０の溝を通ってホッパ４０外へ繰り出される。
【００５０】
次に、駆動機構５２ｂが駆動され、搬送用ローラ５２ａの回転により、券媒体１がＩＣ処理部５３まで搬送される。次に、ＩＣ処理部５３が駆動され、券媒体１のＩＣチップに乗車券情報が書き込まれる。次に、駆動機構５２ｂが駆動されて搬送用ローラ５２ａの回転により、ＩＣ処理部５３にて処理が施された券媒体１が印刷部５４まで搬送される。次に、印刷部５４が駆動され、券媒体１の表面に、文字等が印刷される。券媒体１は、上述のように、ＩＣ処理部５３、及び、印刷部５４で処理が施されることにより、乗車券５となる。
【００５１】
印刷部５４にて処理が施されると、次に、駆動機構５２ｂが駆動され、搬送用ローラ５２ａの回転により、乗車券５が排出口２１まで搬送される。排出口２１まで搬送された乗車券５は、排出口２１を通して受け皿２７内に排出される。
【００５２】
次に、搬送部３０のメンテナンス作業について、説明する。搬送部３０をメンテナンスする際には、作業者は、図３に示すように、第１の筐体用扉部材２４を開く。次に、作業者は、搬送部３０を前方に移動することにより、搬送部３０の全体を第１の筐体用開口２２を通して筐体本体２３の外側に搬出する。
【００５３】
作業者は、搬送部３０が筐体２０の外側に搬出されることにより、搬送部３０のメンテナンス作業を行うことができる。作業者は、メンテナンス作業が終了すると、第１の筐体用開口２２を通して搬送部３０を筐体本体２３内に搬入し、本実施形態では定位置に固定または位置決めする。作業者は、搬送部３０が筐体本体２３内に収容されると、第１の筐体用扉部材２４を閉じる。
【００５４】
次に、ホッパ４０内への券媒体１の装填作業について説明する。ホッパ４０内へ券媒体１を装填する際には、作業者は、まず、図４に示すように、第２の筐体用扉部材２６を開く。次に、作業者は、第２の筐体用開口２５を通してホッパ用扉部材４３を回動軸Ｘ回りに下方に回動することにより、ホッパ用扉部材４３を、図５に示すように、開く。ホッパ用扉部材４３は、第２の筐体用開口２５の下端縁２５ｂに当接するまで下方に回動される。
【００５５】
ホッパ用扉部材４３が、図７に示すように第２の筐体用開口２５の下端縁２５ｂに当接するまで開かれると、ホッパ用開口４２は、第２の筐体用開口２５を通して外部に連通する。また、ホッパ用扉部材４３が第２の筐体用開口２５の下端縁２５ｂに当接することにより、ホッパ用開口４２の下端縁４２ｂと第２の筐体用開口２５の下端縁２５ｂとの間の隙間Ｓが、ホッパ用扉部材４３により覆われる。
【００５６】
作業者は、第２の筐体用開口２５、及び、ホッパ用開口４２を通して、券媒体１をホッパ本体４１内に装填する。ホッパ用開口４２と第２の筐体用開口２５との間の隙間Ｓが開いた状態のホッパ用扉部材４３により覆われることにより、装填作業中に、作業者の手から券媒体１が万が一落下しても、当該落下した券媒体１は、開いた状態のホッパ用扉部材４３上に落下することとなる。
【００５７】
また、作業者は、装填作業に、ホッパ用扉部材４３を利用することもできる。具体的には、作業者は、開いた状態にあるホッパ用扉部材４３の面４６上に複数の券媒体１を一旦配置し、当該配置された複数の券媒体１を、少しずつ、ホッパ本体４１内に移動することができる。
【００５８】
この実施形態の発券機１０は、筐体２０の筐体本体２３の側壁部２８の一部に、ホッパ４０への券媒体１の装填作業を可能とする、すなわち、装填作業を行うに十分な大きさを有する第２の筐体用開口２５が形成されているので、搬送部３０を筐体２０から引き出さなくても、第２の筐体用開口２５を通してホッパ４０へ券媒体１を装填することができる。この為、ホッパ４０への券媒体１の装填作業の効率を向上できる。
【００５９】
この実施形態の発券機１０は、ホッパ用扉部材４３が、ホッパ用開口４２を閉塞する位置から下方に回動することによりホッパ用開口４２を開くよう上下方向Ｖに回動可能にホッパ本体４１に連結され、開いた状態において第２の筐体用開口２５を通して筐体２０の外側に出る長さを有しているので、ホッパ４０と第２の筐体用開口２５との間の隙間Ｓは、開いた状態のホッパ用扉部材４３によって、覆われる。この為、ホッパ４０への券媒体１の装填作業中に、万が一、券媒体１を落としても、当該落下した券媒体１は、開いた状態のホッパ用扉部材４３上に落下することとなり、筐体２０内へ落下することが防止される。
【００６０】
この実施形態の発券機１０は、ホッパ用扉部材４３の面４６の側縁にリブ４７が形成されているので、ホッパ用扉部材４３の強度を向上することができる。さらに、ホッパ用扉部材４３の面４６上に落ちた券媒体１が面４６上を移動しても、リブ４７に当接することにより、券媒体１がホッパ用扉部材４３から落ちることが防止される。さらに、ホッパ用扉部材４３の面４６を利用して装填作業を行う場合においても、券媒体１が面４６上を移動しても券媒体１がリブ４７に当接することにより、券媒体１がホッパ用扉部材４３から落ちることが防止される。この為、ホッパ４０への券媒体１の装填作業中に券媒体１が筐体２０内へ落下することが防止される。
【００６１】
この実施形態の発券機１０は、筐体本体２３の第１の筐体用開口２２を通して、筐体本体２３に対して搬送部３０を搬入及び搬出が可能であるが、ホッパ４０への券媒体１の装填作業中に筐体２０から搬送部３０を引き出されることが防止できる。
【００６２】
この効果について、具体的に説明する。ホッパ４０への券媒体１の装填作業中に搬送部３０を第１の筐体用開口２２を通して引き出そうとすると、開いた状態のホッパ用扉部材４３の前端が第２の筐体用扉部材２６に当接することにより、ホッパ用扉部材４３にはその前端から後方へ向かって荷重が入力される。
【００６３】
しかしながら、ホッパ用扉部材４３の回動軸Ｘが前後方向Ｆに平行であることにより、ホッパ用扉部材４３の前端から入力された荷重の作用方向と、回動軸Ｘとが平行となるので、当該荷重によりホッパ用扉部材４３が閉じるということがない。この為、開いた状態のホッパ用扉部材４３がストッパとして機能するので、ホッパ４０への券媒体１の装填作業中に、搬送部３０が筐体２０から引き出されることが防止される。
【００６４】
さらに、ホッパ用扉部材４３の回動軸Ｘが前後方向Ｆに平行であることにより、ホッパ用扉部材４３は、回動軸Ｘに平行な方向の剛性が高くなるので、第２の筐体用扉部材２６から荷重が入力されても、ホッパ用扉部材４３が破壊されることが防止される。
【００６５】
この実施形態の発券機１０によると、開いた状態のホッパ用扉部材４３の面４６は、上下方向Ｖに直交する平面となるので、ホッパ４０への券媒体１の装填作業の際に、面４６を利用することができる。
【００６６】
この実施形態の発券機１０は、筐体２０が直方体状に形成され、かつ、第２の筐体用開口２５が前後方向Ｆに沿う側壁部２８に形成されることにより、発券機１０を、第２の筐体用開口２５が、発券機１０が設置される部屋の内側に向くようにすれば、部屋の隅、または、壁際にも設置することができる。このように、発券機１０は、その設置場所の自由度を向上することができる。
【００６７】
なお、本実施形態では、第２の筐体用扉部材２６は、引き戸であったが、これに限定されない。第２の筐体用扉部材２６は、例えば、ホッパ用扉部材４３のように、回動軸回りに回動することにより第２の筐体用開口２５を開閉する構造であってもよい。そして、この回動軸は、上下方向Ｖに平行であってもよい。
【００６８】
また、本実施形態では、ホッパ用扉部材４３は、ホッパ本体４１に対して上下方向Ｖに回動可能とする為に、その回動軸Ｘが前後方向Ｆに平行となっている。例えば、回動軸Ｘは、水平方向に略平行であってもよい。要するに、開いた状態のホッパ用扉部材４３により、ホッパ４０と筐体本体の内面との間の隙間の少なくとも一部分が覆われればよい。
【００６９】
さらに、ホッパ用扉部材４３が上下方向Ｖに回動可能であることにより、ホッパ用扉部材４３の回動軸Ｘは、上下方向Ｖに対して交差することとなる。この為、券媒体１の装填作業中に搬送部３０を引き出そうとすることによりホッパ用扉部材４３の前端に荷重が入力されても、この荷重の作用方向がホッパ用扉部材４３の回動軸Ｘとが直交することがないので、荷重が入力されても、ホッパ用扉部材４３が閉じにくくなる。この為、回動軸Ｘが水平方向に対して平行でなくても、開いた状態のホッパ用扉部材４３がストッパとして機能することにより、搬送部３０が引き出されることが防止される。
【００７０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下に、本願出願当初の特許請求の範囲に記載された発明と同等の記載を付記する。
［１］
内部に券媒体を収容するホッパと、
前記ホッパから供給された前記券媒体に処理を施すことにより券を形成する処理部と、
前記ホッパ、及び、前記処理部を内部に収容し、前記ホッパと対向する部分に、前記ホッパへの前記券媒体の装填作業を可能とする筐体用開口が形成された筐体と、
を具備することを特徴とする発券機。
［２］
前記ホッパは、前記筐体用開口側の部分に、内部に前記券媒体を通す大きさを有するホッパ用開口が形成されたホッパ本体、及び、前記ホッパ用開口を閉塞する位置から下方に回動することにより前記ホッパ用開口を開くよう上下方向に回動可能に前記ホッパ本体に連結され、開いた状態において前記筐体用開口を通して前記筐体の外側に出る長さを有するホッパ用扉部材を具備する
ことを特徴とする［１］に記載の発券機。
［３］
前記ホッパ用扉部材は、開いた状態において上方に向く面の側縁に設けられたリブを具備する
ことを特徴とする［２］に記載の発券機。
［４］
前記筐体は、前記ホッパ用扉部材の回動軸の軸方向に沿って一端側に、前記ホッパ及び前記処理部を前記筐体に対して搬入、及び、搬出する搬入搬出部を具備する
ことを特徴とする［２］に記載の発券機。
［５］
前記筐体用開口の縁は、開いた状態の前記ホッパ用扉部材において上方に向く面が水平面となるよう前記ホッパ用扉部材の外面に当接する当接部を具備する
ことを特徴とする［２］に記載の発券機。
［６］
前記筐体は、直方体状に形成され、その一つの側壁部の一部に、前記筐体用開口が形成
されている
ことを特徴とする［１］に記載の発券機。
【符号の説明】
【００７１】
１…券媒体、１０…発券機、２２…第１の筐体用開口（搬入搬出部）、２３…筐体本体、２４…第１の筐体用扉部材（搬入搬出部）、２５…第２の筐体用開口（筐体用開口）、２５ｂ…下端縁（当接部）、２８…側壁部、４０…ホッパ、４１…ホッパ本体、４２…ホッパ用開口、４３…ホッパ用扉部材、４３ａ…外面、４６…面（上面）、４７…リブ、５０…処理部、Ｖ…上下方向、Ｘ…回動軸。
【図１】
0006678480.tif 000002
【図２】
0006678480.tif 000003
【図３】
0006678480.tif 000004
【図４】
0006678480.tif 000005
【図５】
0006678480.tif 000006
【図６】
0006678480.tif 000007
【図７】
0006678480.tif 000008